(57)【要約】【課題】既設の小便器に対して後付けで簡単に且つ安価に組み付けることのできる小便器用の表示装置を提供する。【解決手段】人体感知センサ１６による人体感知に基づいて電磁弁を開弁させ、便器の予備洗浄を行う自動洗浄装置２２を備えた小便器１０の使用者に対して各種の情報表示を行う表示装置３２を小便器１０に組み込む。その表示装置３２は、表示途中であっても予備洗浄に際しての電磁弁の開弁信号があったとき、これをスタート信号としてタイマリセットした上で表示動作を最初から行うようにし、タイムアップまでの間所定時間かけて一連の情報を表示するようになす。【選択図】        図１
2004316273.tif 000002
【特許請求の範囲】
【請求項１】
センサによる人体感知に基づいて電気駆動弁を開弁させ、便器の予備洗浄を行う自動洗浄装置を備えた便器の使用者に対して、各種の情報表示を行う便器用表示装置において、
前記予備洗浄に際しての前記電気駆動弁の開弁信号をスタート信号として表示動作を開始するようになしてあることを特徴とする便器用表示装置。
【請求項２】
請求項１において、前記表示装置はタイマ手段を備えていて、該タイマ手段のタイムアップにより一連の情報の表示動作を終了するとともに、タイムアップ前において表示動作を継続中に前記電気駆動弁の開弁信号が生じたとき、タイマをリセットするとともに一連の情報表示を最初から行うようになしてあることを特徴とする便器用表示装置。
【請求項３】
請求項１，２の何れかにおいて、前記電気駆動弁が電磁弁であることを特徴とする便器用表示装置。
【請求項４】
請求項１〜３の何れかにおいて、前記開弁信号が前記電気駆動弁を開弁させるために該電気駆動弁に供給される駆動信号であることを特徴とする便器用表示装置。
【請求項５】
請求項１〜４の何れかにおいて、前記表示装置が小便器の頭部に一体的に組み込んであることを特徴とする便器用表示装置。
【発明の詳細な説明】
【０００１】
【発明の属する技術分野】
この発明は便器の使用者に対して各種の情報表示を行う便器用表示装置に関する。
【０００２】
【従来の技術】
従来、公共トイレの便器の使用者に対して広告や宣伝，ニュースその他様々な情報を表示する便器用表示装置が各種提案されている。
ホテルその他のビル等に設置されている公共トイレの便器使用者は、ある限られた人であるとともに便器使用中は一定時間そこに静止した状態となることから、例えば広告等を行ったときの効果が高く、このような点に着目して便器用の各種の表示装置が提案されている。
【０００３】
例えば下記特許文献１には、多数の小便器の並んだトイレの壁面に共通の表示装置を設置し、トイレ使用者がトイレ室内にいるときにトイレ内の人体を感知する人体感知センサによる人体感知に基づいて情報表示を行うようになしたものが開示されている。
また下記特許文献２には、小便器の自動洗浄装置の人体感知センサを表示装置における人体感知センサと共用し、その人体感知センサの人体感知に基づいて情報表示を行うようになしたものが開示されている。
【０００４】
【特許文献１】
特開２０００−２１０２３２号公報
【特許文献２】
特開２００２−１５５５６４号公報
【０００５】
【発明が解決しようとする課題】
しかしながら前者の特許文献１に開示の表示装置の場合、１つの表示装置を多数の便器で共用する場合には良いが、１つ１つの便器のそれぞれに表示装置を設置することを考えた場合、表示装置専用に多数の人体感知センサが必要となって、表示装置のコストが高くなってしまう問題がある。
【０００６】
他方後者の特許文献２に開示の表示装置では、元々便器に備えられている人体感知センサ、即ち便器洗浄を自動で行う自動洗浄装置の人体感知センサを利用するものであるため、表示装置を便器１つ１つに設置した場合であっても、それ専用の人体感知センサが多く必要になるといったことがない利点がある。
しかしながらこのように便器の自動洗浄装置における人体感知センサと表示装置における人体感知センサとを共用した場合、既に設置してある便器に対して表示装置を後付けで設置する際、自動洗浄装置の人体感知センサからの信号によって表示を行うように自動洗浄装置の制御部を改変したり操作しなければならず、表示装置の設置が簡単にできないといった問題がある。
【０００７】
【課題を解決するための手段】
本発明の便器用表示装置はこのような課題を解決するために案出されたものである。
而して請求項１のものは、センサによる人体感知に基づいて電気駆動弁を開弁させ、便器の予備洗浄を行う自動洗浄装置を備えた便器の使用者に対して、各種の情報表示を行う便器用表示装置において、前記予備洗浄に際しての前記電気駆動弁の開弁信号をスタート信号として表示動作を開始するようになしてあることを特徴とする。
【０００８】
請求項２のものは、請求項１において、前記表示装置はタイマ手段を備えていて、該タイマ手段のタイムアップにより一連の情報の表示動作を終了するとともに、タイムアップ前において表示動作を継続中に前記電気駆動弁の開弁信号が生じたとき、タイマをリセットするとともに一連の情報表示を最初から行うようになしてあることを特徴とする。
【０００９】
請求項３のものは、請求項１，２の何れかにおいて、前記電気駆動弁が電磁弁であることを特徴とする。
【００１０】
請求項４のものは、請求項１〜３の何れかにおいて、前記開弁信号が前記電気駆動弁を開弁させるために該電気駆動弁に供給される駆動信号であることを特徴とする。
【００１１】
請求項５のものは、請求項１〜４の何れかにおいて、前記表示装置が小便器の頭部に一体的に組み込んであることを特徴とする。
【００１２】
【作用及び発明の効果】
以上のように本発明は、便器の自動洗浄装置における予備洗浄に際しての電気駆動弁の開弁信号をスタート信号として表示装置の表示動作を最初から行うようになしたものである。
便器の自動洗浄装置として、人体感知すると先ず便器に少量の洗浄水供給して予備洗浄を行い、その後便器使用者が用を足した後、便器から立ち去ることで人体非感知となったときに大量の洗浄水を便器に供給して本洗浄を行う形式のものがあり、本発明ではその予備洗浄に際して電気駆動弁が開弁する際の開弁信号をスタート信号として表示装置の表示動作を最初から行うようになしたものである。
【００１３】
このようにすれば、例えば既に設置してある自動洗浄装置付きの便器に対して表示装置を後付けで設置する場合においても、自動洗浄装置の制御部を改変したり操作したりしなくても良く、表示装置を簡単に設置することが可能となる。
【００１４】
また本発明では、もともと便器に備えられている自動洗浄装置の人体感知センサによる人体感知を利用して表示動作を行うものであることから、多数の便器のそれぞれに個別に表示装置を設ける場合においても専用の人体感知センサを必要とせず、表示装置を低コストで構成できる利点が得られる。
【００１５】
ところで、便器の自動洗浄装置における人体感知センサは、便器を使用する目的で人体が近付いた場合はもとより、単に便器の傍らを人体が通り過ぎたような場合でもこれを感知して予備洗浄を行ってしまうことがある。
従って単に予備洗浄の際の電気駆動弁の開弁信号によって表示装置の表示動作を最初から行わせるようになした場合、一連の情報の表示動作が終了する前に、本来の便器使用者が便器使用を開始することがあり、この場合その便器使用者は表示装置における情報表示を最初からではなく途中から見ることとなり、ひいては表示装置における情報表示を便器使用者に対して効果的に行えなくなる不都合が生じ得る。
或いはまた前回の便器使用者の便器使用時間が短い場合等において、次回の便器使用者が用を足している途中で表示動作が終了し、情報表示が消えてしまうといったことも起り得る。
【００１６】
ここにおいて請求項２のものは、表示動作を継続中に電気駆動弁の開弁信号が生じたとき、タイマをリセットするとともにその時点から一連の情報表示を最初から行うようになしたもので、このようにすれば、本来の便器使用者が便器使用を開始したとき、情報表示を途中からではなく、常に最初から見ることが可能となり、情報表示の効果を高めることができる。
【００１７】
尚この請求項２においては、表示動作の継続時間、即ちタイマ手段におけるタイムアップまでの時間を、１回の便器使用に要する時間と同等以上に設定しておくことができる。
このようにしておけば、便器を使用している間中情報表示を行うことができる。
【００１８】
ここで上記電気駆動弁は電磁弁となしておくことができる（請求項３）。
また電気駆動弁を開弁させるために電気駆動弁に供給される駆動信号をもって上記開弁信号となすことができる（請求項４）。
本発明は、小便器の頭部に一体的に組み込んで用いられる表示装置に好適に適用可能である（請求項５）。
【００１９】
【実施例】
次に本発明の実施例を図面に基づいて詳しく説明する。
図１において、１０はトイレの壁Ｗに接して設置された小便器で、１２はその小便器１０の便器本体である。
この小便器１０の頭部１４には、便器の使用者を感知するための人体感知センサ１６，洗浄水の供給通路上に設けられた電気駆動弁としての電磁弁１８（図３参照）及び人体感知センサ１６による人体感知に基づいて電磁弁１８を作動制御する制御部２０を備えた自動洗浄装置２２が組み込まれている。
【００２０】
この自動洗浄装置２２は、人体感知センサ１６による人体感知に基づいて、洗浄水を便器本体１２の鉢面上部に設けられたスプレッダ２４から噴射し、便器洗浄を行う。
ここで自動洗浄装置２２は、便器の使用者が便器使用するに際して予備洗浄と本洗浄とを行う。
【００２１】
予備洗浄は、人体感知センサ１６による人体感知に基づいて便器の使用者が便器使用する前にスプレッダ２４から少量の洗浄水を噴射して小便器１０を予備的に洗浄するものであり、また本洗浄は便器の使用者が用を足した後に小便器１０から立ち去ったとき、人体感知センサ１６の人体非感知に基づいてスプレッダ２４から大量の洗浄水を噴射し、便器本体１２の鉢面を本格的に洗浄するものである。
【００２２】
本例において自動洗浄装置２２は、先ず人体感知センサ１６が人体感知すると制御部２０から電磁弁１８に対し駆動信号（開弁信号）が供給され、ここにおいて電磁弁１８が開弁作動する。
そして短時間後に再び制御部２０から電磁弁１８に対し閉弁信号が供給されてそこで電磁弁１８が閉弁作動し、予備洗浄を終了する。
【００２３】
一方本洗浄に際しては、制御部２０から電磁弁１８に対して駆動信号が供給され、そこにおいて電磁弁１８が開弁作動する点は同様であるが、その後制御部２０から電磁弁１８に対して閉弁信号が供給されるまでの時間が長く、従ってスプレッダ２４から長時間洗浄水が噴射されることによって本洗浄がなされる。
【００２４】
尚この例において、電磁弁１８は開弁後において開弁状態を、閉弁後において閉弁状態を維持するラッチ型の電磁弁である。
但し電磁弁１８として非ラッチ型のものを用いることも可能であり、その場合には制御部２０から電磁弁１８に対して駆動信号が供給されている間だけ電磁弁１８が開弁状態を維持し、駆動信号の供給がなくなったところで電磁弁１８が閉弁作動する。
【００２５】
この場合には電磁弁１８に対して駆動信号が供給されている時間の長短によって、スプレッダ２４からの洗浄水の噴射時間及び噴射量が決定される。
而して予備洗浄に際しては電磁弁１８に対する駆動信号の供給時間が短く、また本洗浄に際しては電磁弁１８に対する駆動信号の供給時間が長く制御される。
【００２６】
頭部１４にはまた、図２に示しているように多数のＬＥＤ２６を配列させて成る表示パネル２８、及びその表示パネル２８における各ＬＥＤ２６の点灯を制御する制御部３０（図３参照）を含む表示装置３２が一体的に組み込まれている。
ここで表示装置３２は、多数のＬＥＤ２６を所定パターンで点灯させることによって広告その他各種の情報を表示する。
【００２７】
この例では、図３に示しているように自動洗浄装置２２における制御部２０から電磁弁１８への駆動信号が分岐して表示装置３２の制御部３０へと供給されるようになっており、表示装置３２の制御部３０はこの信号を受けて、表示パネル２８において表示動作を開始させる。
即ち電磁弁１８に供給される駆動信号をスタート信号として表示パネル２８において表示動作を開始する。
【００２８】
本例において、表示装置３２は表示開始してから一定時間、ここでは５分間経過したところで表示動作を終了する。
即ち制御部３０に備えられたタイマで表示開始からの時間が計測され、そして設定された時間（５分間）だけ情報表示を行ったところで、タイマのタイムアップにより一連の情報表示を終了する。
そして再び人体感知センサ１６による人体感知に基づいて、自動洗浄装置２２の電磁弁１８に駆動信号が供給されたとき、その同じタイミングで表示装置３２が表示動作を最初からやり直す。
【００２９】
またタイマのタイムアップ前において表示動作を行っている途中であっても、人体感知センサ１６による人体感知に基づいて自動洗浄装置２２の電磁弁１８に駆動信号が供給されたときには、そこでタイマをリセットして再び一連の情報表示を最初から行う。
【００３０】
表示継続中に人体感知センサ１６が人体感知し、電磁弁１８に駆動信号が供給されたときには、電磁弁１８への先の駆動信号の供給が、例えば単に小便器１０の傍らを人体が通り過ぎただけであって、本来の便器の使用者の感知に基づく予備洗浄のための駆動信号の供給ではないものと判断し、次の電磁弁１８への駆動信号の供給が本来の便器の使用者の感知に基づく予備洗浄のための駆動信号の供給であるものと判断して、表示途中であっても再び最初から情報表示をやり直すのである。
或いはまた、前回の便器の使用者による便器使用の時間が短く、表示途中で次の便器の使用者が便器使用を開始したとき、次の便器の使用者に対し情報表示を最初からやり直す必要があるものと判断して、その時点で表示途中であっても再び最初から情報表示をやり直すのである。
【００３１】
図４にその際の制御部３０における制御の内容が示してある。
同図に示しているように、ここでは人体感知センサ１６による人体感知に基づいて自動洗浄装置２２が小便器１０の予備洗浄を行うべく、制御部２０から電磁弁１８に駆動信号が供給されると、これを電磁弁１８の開弁を表す開弁信号として表示装置３２の制御部３０がタイマリセットした上で表示パネル２８上で表示動作を開始させる（ステップＳ１０，Ｓ１２，Ｓ１４）。
【００３２】
そして表示継続中に電磁弁１８に駆動信号が供給されない限り表示動作を続行する。
その際に制御部３０はステップＳ１８，Ｓ２０を実行してプログラムタイマのカウントをアップし、ステップＳ１６に戻って電磁弁１８に対して駆動信号が供給されたか否かを判断する。
【００３３】
これらステップＳ１６，Ｓ１８，Ｓ２０の実行を繰り返すうちに一定時間、ここでは５分間経過（タイムアップ）したところで表示動作を終了する（ステップＳ２２）。
一方表示継続中に電磁弁１８に対し駆動信号が供給されたときには、情報表示が途中であってもステップＳ１６からステップＳ１２に戻ってタイマをリセットした上で、情報表示を最初から開始する（ステップＳ１４）。
【００３４】
尚、本発明においては表示装置３２に専用の時計機能を設けておき、決められた時間帯のみ、例えば便器使用者の多い昼間のみ表示装置３２を表示動作させるようにし、便器使用者の少ない夜間は表示動作を停止状態に維持するようになすことも可能である。
このようにすれば、表示装置３２による電力消費を低く抑えることができ、また表示装置３２の寿命も延長することができる。
【００３５】
本例では電磁弁１８に供給される開弁のための駆動信号を表示装置３２に取り込んで、これを動作開始させるようにしていることから、既に設置してある自動洗浄装置２２付きの小便器１０に対して表示装置３２を後付けで設置するに際し、自動洗浄装置２２の制御部２０を改変したり操作したりしなくても良く、表示装置３２を簡単に設置することが可能となる。
【００３６】
また本例の表示装置３２は、もともと小便器１０に備えられている自動洗浄装置２２の人体感知センサ１６による人体感知を利用して情報表示を行うものであることから、多数の小便器１０のそれぞれに個別に表示装置３２を設ける場合においても専用の人体感知センサを必要とせず、表示装置３２を低コストで構成できる利点が得られる。
【００３７】
更に本例の表示装置３２においては、表示動作を継続中に電磁弁１６への駆動信号が生じたとき、タイマをリセットするとともにその時点から一連の情報表示を最初から行うようにしているため、単に小便器１０の傍らを人体が通り過ぎたために表示開始してしまい、本来の便器の使用者がその表示途中で便器使用を開始した場合であっても、或いは前回の便器の使用者の便器使用時間が短かかったために次の便器の使用者が表示途中で便器使用を開始した場合であっても、それら便器の使用者が情報表示を途中から見ることにならず、常に最初から情報表示を見ることができる。
更には場合によって情報表示が途中からの表示であり、便器の使用者が用を足している途中で表示動作が終了してしまう不都合を回避できる。
【００３８】
以上本発明の実施例を詳述したがこれはあくまで一例示である。
例えば上例では表示パネル２８がＬＥＤ表示パネルとして構成されているが、これを液晶表示パネルとして構成することも可能であるし、またかかる表示パネルを様々な形態で構成することが可能である。
【００３９】
例えば建材の内部にＬＥＤを埋め込み、ＬＥＤが点灯していないときには通常の建材として見える一方、ＬＥＤを点灯させることによって初めてＬＥＤの存在が分るような形態でこれを構成することも可能である。
【００４０】
また所定位置に照度センサを設けておいて、その照度センサによる照度検知に基づいてＬＥＤの明るさを制御することも可能であるし、電気駆動弁を電磁弁以外の弁にて構成することも可能であるなど、本発明はその趣旨を逸脱しない範囲において種々変更を加えた形態で構成可能である。
【図面の簡単な説明】
【図１】本発明の一実施例である表示装置を小便器とともに示す図である。
【図２】同実施例の表示装置を拡大して外観状態及び表示動作状態で示す図である。
【図３】同実施例の表示装置の要素を自動洗浄装置の要素とともに示すブロック図である。
【図４】同実施例の表示装置の制御内容をフローチャートで示す図である。
【符号の説明】
１０  小便器
１４  頭部
１６  人体感知センサ
１８  電磁弁（電気駆動弁）
２２  自動洗浄装置
３２  表示装置
【図１】
2004316273.tif 000003
【図２】
2004316273.tif 000004
【図３】
2004316273.tif 000005
【図４】
2004316273.tif 000006